(57)【特許請求の範囲】
【請求項１】
第１の種類のフィルムを第１のフィルム容器から引き出し、現像処理する第１の現像処理ラインと、第１の種類のフィルムよりもその幅が狭い第２の種類のフィルムを第２のフィルム容器から引き出し、現像処理する第２の現像処理ラインとを有し、少なくとも第１の現像処理ラインと第２の現像処理ラインは互いに平行に配列され、第１のフィルム容器及び第２のフィルム容器を、前記配列方向に移動可能な共通の容器保持テーブル上に装填することを特徴とする写真フィルム自動現像装置。
【請求項２】
容器保持テーブルは、第１のフィルム容器に収納された第１の種類のフィルムの中心線が第１の現像処理ラインの中心線と一致する第１の位置及び第２のフィルム容器に収納された第２の種類のフィルムの中心線が第２の現像処理ラインの中心線と一致する第２の位置にそれぞれ停止するように、クリックストップ機構を有することを特徴とする請求項１記載の写真フィルム自動現像装置。
【請求項３】
第１の現像処理ライン及び第２の現像処理ラインは、それぞれ第１の種類のフィルム及び第２の種類のフィルムの両側端部をガイドするガイド溝と、第１の種類のフィルム及び第２の種類のフィルムの画像記録領域に当接し、第１の種類のフィルム及び第２の種類のフィルムを所定の方向に搬送するフィルム搬送ローラを含むフィルム搬送路を有することを特徴とする請求項１又は２記載の写真フィルム自動現像装置。
【請求項４】
第１の現像処理ラインは、第１の種類のフィルムの両側端部の存否を検出する２つのフィルム検出センサを有することを特徴とする請求項３記載の写真フィルム自動現像装置。
【請求項５】
少なくとも配列方向における第１のフィルム容器と第２のフィルム容器の最大寸法がほぼ等しいことを特徴とする請求項１から４のいずれかに記載の写真フィルム自動現像装置。
【請求項６】
容器保持テーブルは、少なくとも第１のフィルム容器及び第２のフィルム容器のいずれか一方を固定するための固定部材を有することを特徴とする請求項１から５のいずれかに記載の写真フィルム自動現像装置。
【発明の詳細な説明】
【０００１】
【発明の属する技術分野】
本発明は、１３５サイズフィルムと新写真システム（Ａｄｖａｎｃｅｄ  Ｐｈｏｔｏ  Ｓｙｓｔｅｍ：以下、ＡＰＳとする）フィルムの現像処理が可能な写真フィルム自動現像装置、特に、いわゆるリーダレスタイプの装置に関する。
【０００２】
【従来の技術】
近年、ＡＰＳカメラの普及により、専門の現像所だけでなく、ＤＰＥ取扱店の店頭においても、１３５サイズフィルムと同様にＡＰＳフィルムの現像処理が行われている。たとえば、現像所等で用いられているリーダを用いた従来の写真フィルム自動現像装置では、フィルム先端を粘着テープ等によりフィルム幅よりも幅の広いリーダに固着し、現像処理工程に設けられた所定のフィルム搬送路に沿ってリーダを搬送させながら、リーダに追従したフィルムの現像処理を行っていた。従って、リーダ幅よりも幅の狭いフィルムであれば現像可能であり、例えば１３５サイズフィルムとＡＰＳフィルムを２本並べて同時に現像することも可能である。
【０００３】
一方、ＤＰＥ取扱店等では、作業者がフィルムの取り扱いや現像処理等に不慣である場合が多く、第１に装置の取り扱いが容易であることが要求される。そのため、ＤＰＥ取扱店等に設置される写真フィルム自動現像装置では、フィルム先端をリーダに固着する工程を省略し、例えば１３５サイズフィルムの場合、フィルムカートリッジ（フィルムメーカーから出荷された際の金属製のケース：パトローネとも言う）を直接装填し、フィルムカートリッジからフィルムを自動的に引き出し、フィルム終端部を切断して現像処理工程に搬送するように構成されている（上記のように、リーダレスタイプと呼ばれる）。リーダレスタイプの装置では、例えば図８に示すように、フィルム３の両側部３ｂをガイド溝３５でガイドし、搬送ローラ３６によりフィルム３（３Ａ，３Ｂ）を所定のフィルム搬送路に沿って搬送する。
【０００４】
なお、ＡＰＳでは、フィルムカートリッジ（フィルムメーカーから出荷された際の樹脂製のケース）は未現像のフィルムの感光防止のためだけでなく、現像後のフィルムの保管にも使用される。すなわち、現像後のフィルムをフィルムカートリッジに再収納するようにしており、フィルムカートリッジは廃棄することができない。そこで、暗室等において、ＡＰＳフィルムを一旦専用マガジンに移し替え、専用マガジンを写真フィルム自動現像装置に装填することが行われている。
【０００５】
【発明が解決しようとする課題】
ＡＰＳフィルムは１３５サイズフィルムよりも幅が狭いため、上記１３５サイズフィルムの現像処理ラインでは、フィルムの両側部をガイド溝３５によりガイドすることができず、現像処理工程中をフィルム搬送路に沿って搬送することができない。従って、リーダレスタイプの写真フィルム現像処理装置で１３５サイズフィルムとＡＰＳフィルムを現像処理しようとすれば、それぞれ専用の現像処理ラインが必要となる。
【０００６】
一方、図９に示すように、例えば１３５サイズフィルム３Ａの場合、スプール軸の端部１ａがフィルムカートリッジ１から突出しており、フィルムカートリッジ１の最大幅Ｄ１は実際のフィルム３Ａの幅Ｗ１よりも相当大きい（フィルム幅３５ｍｍに対してカートリッジの最大幅約４８ｍｍ）。ＡＰＳフィルム３Ｂの場合、上記専用マガジン２は写真フィルム自動現像装置に合わせて任意の大きさに設計可能であるが、例えば樹脂成形により量産する場合、各部分に一定の厚さが必要であるため、専用マガジン２の最大幅Ｄ２はフィルム３Ｂの幅Ｗ２（２４ｍｍ）に対して大きくならざるを得ない。
【０００７】
ここで、１３５サイズフィルムの現像処理ラインとＡＰＳフィルムの現像処理ラインとを並列に配置した場合、図９に示すように、各現像処理ラインの中心線Ｌ１とＬ２の間隔Ｓ１は、各現像処理ライン間の壁の厚さをＧ１として、以下の式（１）で表される。
【０００８】
【数１】
Ｓ１＝（Ｄ１＋Ｄ２）／２＋Ｇ１          ・・・・（１）
すなわち、各現像処理ラインの中心線Ｌ１とＬ２の間隔Ｓ１は、フィルムカートリッジ１及び専用マガジン２の最大幅Ｄ１及びＤ２により制限され、一定以上には狭くできない。この問題点は、写真フィルム自動現像装置の幅方向におけるデッドスペースの増加のみならず、現像処理工程における各処理液槽の容量の増加、ひいては廃液量の増加という問題点を派生する。
【０００９】
本発明は、上記従来例の問題を解決するためになされたものであり、１３５サイズフィルムやＡＰＳフィルムのようなフィルム幅の異なる複数種類のフィルムの現像処理が可能で、かつ装置の各フィルムの現像処理ラインの中心間隔を可能な限り狭くした写真フィルム自動現像装置を提供することを目的としている。
【００１０】
【課題を解決するための手段】
上記目的を達成するため、本発明の写真フィルム自動現像装置は、第１の種類のフィルムを第１のフィルム容器から引き出し現像処理部に搬送する第１の現像処理ラインと、第１の種類のフィルムよりもその幅が狭い第２の種類のフィルムを第２のフィルム容器から引き出し現像処理部に搬送する第２の現像処理ラインとを有し、少なくとも第１の現像処理ラインと第２の現像処理ラインは互いに平行に配列され、第１のフィルム容器及び第２のフィルム容器を、前記配列方向に移動可能な共通の容器保持テーブル上に装填するように構成されている。
【００１１】
この構成によれば、第１のフィルム容器と第２のフィルム容器を同時に装填することはできないが、第１の現像処理ラインの中心線と第２の現像処理ラインの中心線とを必要最小限の間隔にすることができる。その結果、単純に第１のフィルム容器と第２のフィルム容器を並べる場合と比較して、写真フィルム自動現像装置の幅（フィルム搬送方向に直交する方向）を小さくすることが可能となる。これに伴い、写真フィルム自動現像装置の幅方向におけるデッドスペースも小さくすることができ、現像処理工程における各処理液槽の容量及び廃液量の増加を最小限にすることが可能となる。
【００１２】
上記構成において、容器保持テーブルは、第１のフィルム容器に収納された第１の種類のフィルムの中心線が第１の現像処理ラインの中心線と一致する第１の位置及び第２のフィルム容器に収納された第２の種類のフィルムの中心線が第２の現像処理ラインの中心線と一致する第２の位置にそれぞれ停止するように、クリックストップ機構を有するように構成しても良い。この構成により、容器保持テーブルの位置決めが容易になり、第１の種類のフィルムと第２の種類のフィルムが混在する場合であっても、フィルムの現像処理をスムーズに行うことが可能となる。
【００１３】
また、上記各構成において、第１の現像処理ライン及び第２の現像処理ラインは、それぞれ第１の種類のフィルム及び第２の種類のフィルムの両側端部をガイドするガイド溝と、第１の種類のフィルム及び第２の種類のフィルムの画像記録領域に当接し、第１の種類のフィルム及び第２の種類のフィルムを所定の方向に搬送するフィルム搬送ローラを含むフィルム搬送路を有するように構成しても良い。この構成により、リーダを用いることなく、フィルムを現像処理工程に確実に搬送することが可能となる。
【００１４】
また、上記構成において、第１の現像処理ラインを、第１の種類のフィルムの両側端部の存否を検出する２つのフィルム検出センサを有するように構成しても良い。この構成により、幅の狭い第２の種類のフィルムを、誤って幅の広い第１の種類のフィルム用の第１の現像処理ラインに装填しても、２つのフィルム検出センサは、それぞれ同時にフィルムの側端部を検出することができないので、フィルムが正しく装填されていないことを検出することが可能となる。
【００１５】
また、上記各構成において、少なくとも配列方向における第１のフィルム容器と第２のフィルム容器の最大寸法がほぼ等しいように構成しても良い。この構成により、第１のフィルム容器及び第２のフィルム容器をそれぞれ容器保持テーブルに安定して保持することが可能となる。
【００１６】
また、上記各構成において、容器保持テーブルを、少なくとも第１のフィルム容器及び第２のフィルム容器のいずれか一方を固定するための固定部材を有するように構成しても良い。この構成により、各フィルム容器から引き出されているフィルムの端部がカールしている場合であっても、フィルムの弾性によるフィルム容器の動きを抑制することが可能となる。
【００１７】
【発明の実施の形態】
本発明の一実施形態について、図１から図７を参照しつつ説明する。図１は本実施形態のリーダレスタイプの写真フィルム自動現像装置の概略構成を示す断面図、図２は図１に示す装置におけるフィルム引き出し部の構成を示す平面図、図３はフィルム引き出し部に１３５サイズフィルムを装填した状態を示す平面図、図４は同ＡＰＳフィルムを装填した状態を示す平面図である。図５はフィルム引き出し部の容器保持テーブルの右側壁を示す図、図６は容器保持テーブルの左側壁の形状を示す図である。図７は現像処理部におけるフィルム搬送路の構成を示す図である。
【００１８】
図１に示すように、本実施形態の写真フィルム自動現像装置の現像処理ラインは、フィルムカートリッジ１又は専用マガジン２からフィルム３Ａ，３Ｂを引き出すためのフィルム引き出し部１００と、引き出されたフィルム３Ａ，３Ｂを現像処理する現像処理部２００と、現像処理されたフィルムを乾燥する乾燥部３００と、現像処理するフィルム３Ａ又は３ｂの端部を平坦化するためのフィルム端部処理部４００と、フィルム引き出し部１００、現像処理部２００、乾燥部３００等を制御するための制御部５００等で構成されており、紙面に垂直な方向に複数ライン（例えば２ライン）設けられている。
【００１９】
図１に示すように、フィルム引き出し部１００は、写真フィルム自動現像装置の外装を兼ねる外カバー１０１と、フィルムカートリッジ１又は専用マガジン２を保持するためのホルダーとして機能する内カバー１０２と、フィルムカートリッジ１又は専用マガジン２から外部に引き出されているフィルム３Ａ又は３Ｂの先端部分を挟持し、フィルム３Ａ又は３Ｂをフィルムカートリッジ１又は専用マガジン２から引き出して現像処理部２００に搬送するフィルム搬送ローラ１０３及び従動ローラ１０４と、外カバー１０１をロックするためのカバーロック機構１０５と、例えば１３５サイズフィルムの終端部分を切断しフィルムカートリッジ１からフィルム３Ａを切り離すためのカッタ１０６、フィルム３Ａ又は３Ｂの先端及び終端の通過を検出するためのフィルム検出センサ１０７等で構成されている。なお、ＡＰＳフィルム３Ｂの現像処理ラインＬ２にはカッタ１０６は設けられていない。フィルム搬送ローラ１０３はモータ等により所定方向に回転され、ガイド溝３５を通ってフィルム３Ａ，３Ｂを現像処理部２００に搬送する。従動ローラ１０４は内カバー１０２に保持されており、内カバー１０２を閉じた状態でフィルム３Ａ，３Ｂをフィルム搬送ローラ１０３に押しつける。
【００２０】
現像処理部２００は、現像液が充填された現像処理タンク２０１と、漂白液が充填された漂白処理タンク２０２と、定着液が充填された定着処理タンク２０３及び２０４と、安定液が充填された安定処理タンク２０５、２０６及び２０７等で構成されている。また、各処理タンク２０１〜２０７の内部及び各処理タンクの上部には、図７に示すようなガイド壁３５及び搬送ローラ３６等で構成されたフィルム搬送路２１０が設けられている。
【００２１】
乾燥部３００は、現像処理されたフィルムを乾燥するための乾燥室３０１と、乾燥室３０１に温風を吹き出すためのブロワ３０２と、フィルム３Ａ，３Ｂを搬送する搬送路３０３等で構成されている。
【００２２】
図２〜図４に示すように、本実施形態の場合、右側の第１の現像処理ライン（中心線Ｌ１）は１３５サイズフィルム３Ａ（第１の種類のフィルムの一例）の現像処理用（以下、現像処理ラインＬ１と称する）であり、また左側の第２の現像処理ライン（中心線Ｌ２）はＡＰＳフィルム３Ｂ（第２の種類のフィルムの一例）の現像処理用（以下、現像処理ラインＬ２と称する）とする。ガイドレール２０は、第１の現像処理ラインＬ１及び第２の現像処理ラインＬ２の配列方向に設けられている。フィルムカートリッジ１（第１のフィルム容器の一例）又は専用マガジン２（第２のフィルム容器の一例）を保持するための容器保持テーブル１０は、図２中矢印Ｈで示す方向にガイドレール２０上を摺動可能であり、例えばばね及びボール等で構成されたクリックストップ機構１１（図５参照）により、その中心線が各現像処理ラインＬ１又はＬ２の中心線上に位置するように停止する。
【００２３】
また、第１及び第２の現像処理ラインＬ１及びＬ２のそれぞれのガイド溝３５の部分であって、フィルム搬送ローラ１０３の近傍にはフィルム検出センサ１０７が設けられている。なお、幅の狭いＡＰＳフィルム３Ｂは誤って１３５サイズフィルム用の現像処理ラインＬ１に挿入可能である。そのため、誤挿入を防止すべく、１３５サイズフィルム用の現像処理ラインＬ１には、フィルム検出センサ１０７が２箇所設けられている。すなわち、図３に示すように、１３５サイズフィルム３Ａを正しく挿入した場合にのみ２つのフィルム検出センサ１０７の両方が同時にオンするので、フィルムが全く挿入されていない場合や、ＡＰＳフィルム３Ｂが挿入された場合と区別することが可能となる。従って、制御部５００は、２つのフィルム検出センサ１０７が同時にオンしている場合にのみ、１３５サイズフィルム用の現像処理ラインＬ１のフィルム搬送ローラ１０３を駆動するように構成されている。また、１３５サイズフィルム用の現像処理ラインＬ１には、フィルム３Ａの後端近傍を切断するために、カッタ１０６を突出させるための開口１０６ａが設けられている。
【００２４】
第１の現像処理ラインＬ１と第２の現像処理ラインＬ２はガイド壁２１（その厚さをＧ２とする）を介して隣接している。また、第１の現像処理ラインＬ１及び第２の現像処理ラインＬ２のフィルム挿入口の幅は、各フィルムの幅Ｗ１及びＷ２に若干の余裕を持たせた寸法（実質的にＷ１及びＷ２と等しい）に設定されている。従って、第１の現像処理ラインＬ１と第２の現像処理ラインＬ２の中心間隔Ｓ２は、以下の式（２）で表される。
【００２５】
【数２】
Ｓ２＝（Ｗ１＋Ｗ２）／２＋Ｇ２          ・・・・（２）
前述のように、Ｗ１＜Ｄ１、Ｗ２＜Ｄ２であり、かつＧ１≒Ｇ２であるので、式（１）と（２）を比較すると、Ｓ２＜＜Ｓ１となる。すなわち、本実施形態のように、１３５サイズフィルム３Ａを現像処理する場合と、ＡＰＳフィルム３Ｂを現像処理する場合とで、容器保持テーブル１０の位置を移動させるように構成したので、従来例と比較して第１の現像処理ラインＬ１と第２の現像処理ラインＬ２の中心線の間隔Ｓ２を狭く、実質的に最狭にすることが可能となる。
【００２６】
専用マガジン２としては、ＡＰＳフィルム用の他に前述の１３５サイズフィルム用や１２６サイズフィルム用等がある。１２６サイズフィルムの幅は１３５サイズフィルムと同じ３５ミリであるため、１３５サイズフィルム用現像処理ラインＬ１により現像処理が可能である。従って、これらの各フィルム用の専用マガジン２の各部分の最大寸法を１３５サイズフィルム用のフィルムマガジン１とほぼ同じ寸法とすることにより、同じ容器保持テーブル１０により、いろいろなフィルム容器を安定して保持することが可能となる。
【００２７】
図５に示すように、容器保持テーブル１０の右側壁１２には、例えば１２６サイズフィルム用専用マガジンを係合保持するための溝１２ａが形成されている。また、図６に示すように、容器保持テーブル１０の左側壁１３には、フィルムカートリッジ１の一部に当接し、フィルムカートリッジ１の動きを抑制するための、ばね１５により付勢されたアーム１４が設けられている。
【００２８】
本実施形態の動作について説明する。図３に示すように、１３５サイズフィルム３Ａを現像処理する場合、あらかじめフィルム端部処理部４００により、先端の幅が狭くなった部分を切断し、フィルム３Ａの幅を均一にしておく。また、容器保持テーブル１０は、クリックストップ機構１１により、その中心が１３５サイズフィルム用の第１の現像処理ラインＬ１の中心線上に位置するように位置決めし、停止させておく。
【００２９】
次に、外カバー１０１及び内カバー１０２を開いた状態で、フィルム３Ａの乳剤面が外側を向くようにしてフィルムカートリッジ１を容器保持テーブル１０に装着する。このとき、フィルム３Ａの先端部分は、フィルム搬送ローラ１０３に達するように、あらかじめ所定長さだけ引き出されているものとする。この時、フィルム３Ａの先端部のカール（特に、乳剤面が外側となる逆カール）がきつい場合、フィルム３の弾性により、フィルムカートリッジが回転しようとする。しかしながら、フィルムカートリッジ１の一部が前述のアーム１４によりその動きを制限されているため、フィルムカートリッジ１は回転せず、逆にフィルム３Ａの先端部が、そのカールを伸ばす方向に付勢される。
【００３０】
この状態で内カバー１０２を閉じると、フィルム３Ａの先端部がフィルム搬送ローラ１０３と従動ローラ１０４との間に挟持される。さらに、外カバー１０１を閉じると、カバーロック機構１０５により外カバー１０１がロックされ、外カバー１０１の内側、すなわちフィルム引き出し部１００が遮光される。その結果、フィルム３Ａをフィルムカートリッジ１から引き出し可能な状態になる。図示しないカバーセンサにより外カバー１０１が閉じられたことを検出すると、制御部５００はフィルム搬送ローラ１０３を駆動し、フィルム３Ａをフィルムカートリッジ１から引き出すと共に、ガイド溝３５や搬送ローラ３６等で構成されるフィルム搬送路２１０に侵入させる。
【００３１】
なお、誤ってＡＰＳフィルム用の専用マガジン２を容器保持テーブル１０に装填した場合、ＡＰＳフィルム３Ｂの幅は１３５サイズフィルム３Ａの幅よりも狭いので、ＡＰＳフィルム３Ｂの先端部は２つのフィルム検出センサ１０７の内いずれか一方又は両方フィルム検出センサ１０７の検出領域にはかからない。そのため、制御部５００は２つのフィルム検出センサ１０７の出力を比較することにより、正しく１３５サイズフィルム３Ａが装填されたか否かを判別することができる。１３５サイズフィルム３Ａが正しく装填されていない場合は、制御部５００はフィルム搬送ローラ１０３の駆動を停止し、警告を発生する。
【００３２】
１３５サイズフィルム３Ａの終端はフィルムカートリッジ１のスプールに固着されているため、フィルム３Ａのほぼ全てフィルムカートリッジ１から引き出されると、フィルム３Ａが突っ張った状態となる。この状態を電気的又は機械的に検出し、カッタ１０６を作動させてフィルム３Ａの終端部近傍を切断する。フィルム３Ａの終端がフィルム検出センサ１０７の検出領域を通過すると、フィルム検出センサ１０７からの出力信号が変化するため、制御部５００はフィルム３Ａの全体が現像処理部２００に搬送されたことを知る。
【００３３】
現像処理部２００のフィルム搬送路２１０には、一定間隔で搬送ローラ３６及び３７等が設けられているので、フィルムカートリッジ１から引き出され、現像処理部２００に搬送されたフィルム３Ａは、フィルム搬送路２１０に沿って各処理液槽２０１〜２０７中を搬送され、現像処理を受ける。現像処理されたフィルム３は乾燥部３００に搬送され、乾燥された後、装置外部に排出される。
【００３４】
ＡＰＳフィルム３Ｂを現像処理するの場合、専用マガジン２から引き出されているフィルム３Ｂの終端部近傍を、あらかじめフィルム端部処理部４００によりヒートプレスし、平坦化処理を行う。また、容器保持テーブル１０は図４に示すように、クリックストップ機構１１により、その中心がＡＰＳフィルム用の第２の現像処理ラインＬ２の中心線上に位置するように位置決めし、停止させておく。
【００３５】
次に、外カバー１０１及び内カバー１０２を開いた状態で、フィルム３Ｂの乳剤面が外側を向くようにして専用カートリッジ２を容器保持テーブル１０に装着する。このとき、フィルム３Ｂの先端部分は、フィルム搬送ローラ１０３に達するように、あらかじめ所定長さだけ引き出されているものとする。
【００３６】
この状態で内カバー１０２を閉じると、１３５サイズフィルム３Ａの場合と同様に、フィルム３Ｂの先端部がフィルム搬送ローラ１０３と従動ローラ１０４との間に挟持される。さらに、外カバー１０１を閉じると、カバーロック機構１０５により外カバー１０１がロックされ、外カバー１０１の内側、すなわちフィルム引き出し部１００が遮光される。同時に、専用マガジン２の蓋が開かれ、フィルム３Ｂを専用マガジン２から引き出し可能な状態になる。図示しないカバーセンサにより外カバー１０１が閉じられたことを検出すると、制御部５００は、フィルム搬送ローラ１０３を駆動し、フィルム３Ｂを専用マガジン２から引き出すと共に、ガイド溝３５や搬送ローラ３６等で構成されるフィルム搬送路２１０に侵入させる。なお、誤って１３５サイズフィルム３Ａのフィルムカートリッジ１を容器保持テーブル１０に装填した場合、１３５サイズフィルム３Ａの幅はＡＰＳフィルム３Ｂの幅よりも広いので、フィルム３Ａの先端部をガイド溝３５に挿入することができず、作業者は操作の誤りに気づく。
【００３７】
ＡＰＳフィルム３Ｂの先端は専用マガジン２のスプール軸には固着されていないので、フィルム３Ｂが全て専用マガジン２から引き出されても、フィルム３Ｂは突っ張ることなく、そのまま現像処理部２００に搬送される。フィルム３Ｂの終端がフィルム検出センサ１０７の検出領域を通過すると、フィルム検出センサ１０７からの出力信号が変化するため、制御部５００はフィルム３Ｂの全体が現像処理部２００に搬送されたことを知る。以下の現像処理及び乾燥は１３５サイズフィルム３Ａの場合と同様である。
【００３８】
なお、上記実施形態では、１３５サイズフィルム３Ａの容器としてフィルムカートリッジ１を用いた場合を示したが、これに限定されるものではなく、フィルムカートリッジ１が破損した場合等に用いられる専用カートリッジ（図示せず）であっても同様である。また、フィルムの種類は１３５サイズフィルム、１２６サイズフィルム及びＡＰＳフィルムを例示したが、これに限定されるものではなく、その他市販されているフィルムサイズや、将来開発される新規なフィルムサイズにも本発明を適応しうることは言うまでもない。
【００３９】
【発明の効果】
以上説明したように、本発明の写真フィルム自動現像装置によれば、第１の種類のフィルム（例えば、１３５サイズフィルムや１２６サイズフィルム等）を第１のフィルム容器（フィルムカートリッジ又は専用マガジン）から引き出し、現像処理する第１の現像処理ラインと、第１の種類のフィルムよりもその幅が狭い第２の種類のフィルム（例えばＡＰＳフィルム（ＩＸ２４０サイズフィルム）等）を第２のフィルム容器（専用マガジン）から引き出し、現像処理する第２の現像処理ラインとを有し、少なくとも第１の現像処理ラインと第２の現像処理ラインは互いに平行に配列され、第１のフィルム容器及び第２のフィルム容器を、前記配列方向に移動可能な共通の容器保持テーブル上に装填するように構成されているので、第１の現像処理ラインの中心線Ｌ１と第２の現像処理ラインの中心線Ｌ２とを必要最小限の間隔にすることができる。その結果、写真フィルム自動現像装置の幅（フィルム搬送方向に直交する方向）を小さくすることが可能となる。また、写真フィルム自動現像装置の幅方向におけるデッドスペースも小さくすることができ、現像処理工程における各処理液槽の容量及び廃液量の増加を最小限にすることが可能となる。
【００４０】
また、容器保持テーブルは、第１のフィルム容器に収納された第１の種類のフィルムの中心線が第１の現像処理ラインの中心線と一致する第１の位置及び第２のフィルム容器に収納された第２の種類のフィルムの中心線が第２の現像処理ラインの中心線と一致する第２の位置にそれぞれ停止するように、クリックストップ機構を有するように構成することにより、容器保持テーブルの位置決めが容易になり、第１の種類のフィルムと第２の種類のフィルムが混在する場合であっても、フィルムの現像処理をスムーズに行うことが可能となる。
【００４１】
また、第１の現像処理ライン及び第２の現像処理ラインは、それぞれ第１の種類のフィルム及び第２の種類のフィルムの両側端部をガイドするガイド溝と、第１の種類のフィルム及び第２の種類のフィルムの画像記録領域に当接し、第１の種類のフィルム及び第２の種類のフィルムを所定の方向に搬送するフィルム搬送ローラを含むフィルム搬送路を有するように構成することにより、リーダを用いることなく、フィルムを現像処理工程に確実に搬送することが可能となる。
【００４２】
また、第１の現像処理ラインを、第１の種類のフィルムの両側端部の存否を検出する２つのフィルム検出センサを有するように構成することにより、幅の狭い第２の種類のフィルム（ＡＰＳフィルム等）を、誤って幅の広い第１の種類のフィルム（１３５サイズフィルム等）用の第１の現像処理ラインに装填しても、２つのフィルム検出センサは、それぞれ同時にフィルムの側端部を検出することができないので、フィルムが正しく装填されていないことを検出することが可能となる。
【００４３】
また、少なくとも配列方向における第１のフィルム容器と第２のフィルム容器の最大寸法がほぼ等しいように構成することにより、第１のフィルム容器及び第２のフィルム容器をそれぞれ容器保持テーブルに安定して保持することが可能となる。
【００４４】
また、容器保持テーブルを、少なくとも第１のフィルム容器及び第２のフィルム容器のいずれか一方を固定するための固定部材を有するように構成することにより、各フィルム容器から引き出されているフィルムの端部がカールしている場合であっても、フィルムの弾性によるフィルム容器の動きを抑制することが可能となる。
【図面の簡単な説明】
【図１】本発明の写真フィルム自動現像装置の一実施形態の概略構成を示す断面図である。
【図２】上記一実施形態におけるフィルム引き出し部の構成を示す平面図である。
【図３】上記フィルム引き出し部に１３５サイズフィルムを装填した状態を示す平面図である。
【図４】上記フィルム引き出し部にＡＰＳフィルムを装填した状態を示す平面図である。
【図５】上記フィルム引き出し部における容器保持テーブルの右側壁を示す図である。
【図６】上記フィルム引き出し部における容器保持テーブルの左側壁の形状を示す図である。
【図７】上記一実施形態における現像処理部におけるフィルム搬送路の構成を示す図である。
【図８】リーダレスタイプの写真フィルム自動現像装置における一般的なフィルム搬送路の構成を示す図である。
【図９】１３５サイズフィルムのフィルムカートリッジとＡＰＳフィルムの専用マガジンを並列に配置した場合の各現像処理ラインの中心線間隔の寸法関係を示す図である。
【符号の説明】
１  ：フィルムカートリッジ
２  ：専用マガジン
３  ：フィルム
１０  ：容器保持テーブル
１１  ：クリックストップ機構
１２  ：容器保持テーブルの右側壁
１３  ：容器保持テーブルの左側壁
１４  ：アーム
２０  ：ガイドレール
２１  ：ガイド壁
３５  ：ガイド溝
３６  ：搬送ローラ
３７  ：搬送ローラ
１００  ：フィルム引き出し部
１０１  ：外カバー
１０２  ：内カバー
１０３  ：フィルム搬送ローラ
１０４  ：従動ローラ
１０５  ：カバーロック機構
１０６  ：カッタ
１０７  ：フィルム検出センサ
２００  ：現像処理部
２１０  ：フィルム搬送路
３００  ：乾燥部
４００  ：フィルム端部処理部
５００  ：制御部
【図１】
0003613964.tif 000002
【図２】
0003613964.tif 000003
【図３】
0003613964.tif 000004
【図４】
0003613964.tif 000005
【図５】
0003613964.tif 000006
【図６】
0003613964.tif 000007
【図７】
0003613964.tif 000008
【図８】
0003613964.tif 000009
【図９】
0003613964.tif 000010